【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
呼吸マスクシステムのマスクフレームに結合されるように構成されたヨークであって、
第１の横方向端から第２の横方向端へ延びる前壁と、
第１の横方向端から第２の横方向端へ延びる背壁であり、前記前壁と前記背壁との間に内側空洞を画定する背壁と、
前記前壁及び前記背壁の前記第１の横方向端に結合された第１のエンドキャップ並びに前記前壁及び前記背壁の前記第２の横方向端に結合された第２のエンドキャップであり、各エンドキャップが、自己調節式ヘッドギアシステムの線状体を受け入れるように構成された入口孔を備える、第１のエンドキャップ及び第２のエンドキャップと、
前記第１のエンドキャップに隣り合って前記前壁と前記背壁との間に配置された第１のハウジングと、
前記第２のエンドキャップに隣り合って前記前壁と前記背壁との間に配置された第２のハウジングと、
前記内側空洞を上部トラック及び下部トラックに分割する分割具と
を備え、
前記上部トラックが、前記第１のハウジングから前記第２のエンドキャップへ前記第２のハウジングの上に延びており、
前記下部トラックが、前記第２のハウジングから前記第１のエンドキャップへ前記第１のハウジングの下に延びている、ヨーク。
【請求項２】
前記ヨークが、前記前壁を有するヨーク前部と、前記背壁を有するヨーク後部とを備え、前記ヨーク前部と前記ヨーク後部が互いに結合されている、請求項１に記載のヨーク。
【請求項３】
前記ヨーク前部及び前記ヨーク後部の一方が、少なくとも１つのスナップ嵌めバンプを備え、前記ヨーク前部及び前記ヨーク後部の他方が、前記スナップ嵌めバンプを受け入れて前記ヨーク前部と前記ヨーク後部を互いに結合するように構成された対応する少なくとも１つのスナップ嵌め溝を備える、請求項２に記載のヨーク。
【請求項４】
複数のスナップ嵌めバンプが、前記ヨーク前部及び前記ヨーク後部の一方の長さの一部分に沿って延びており、複数のスナップ嵌め溝が、前記ヨーク前部及び前記ヨーク後部の他方に沿って延びている、請求項３に記載のヨーク。
【請求項５】
前記上部トラックが、前記ヨーク前部の上壁及び前記分割具によって少なくとも部分的に画定されており、前記下部トラックが、前記ヨーク前部の下壁及び前記分割具によって少なくとも部分的に画定されている、請求項２に記載のヨーク。
【請求項６】
前記分割具が、前記ヨーク前部の前記前壁の内背面から後方に突出している、請求項２に記載のヨーク。
【請求項７】
前記ヨーク前部が、前記前壁の前記第１の横方向端に位置する第１の端を備え、前記ヨーク前部が、前記前壁の前記第２の横方向端に位置する第２の端を備え、前記上部トラックが、前記ヨーク前部の前記第１の端に向かってより広くなり、前記ヨーク前部の前記第２の端に向かってより狭くなっており、前記下部トラックが、前記ヨーク前部の前記第２の端に向かってより広くなり、前記ヨーク前部の前記第１の端に向かってより狭くなっている、請求項２に記載のヨーク。
【請求項８】
前記ヨーク前部が、Ｄ字状の横断面プロファイルを形成している、請求項２に記載のヨーク。
【請求項９】
前記エンドキャップのそれぞれが、前記自己調節式ヘッドギアシステムのためのロック機構を備える、請求項１に記載のヨーク。
【請求項１０】
前記ヨークの高さが、前記第１の横方向端と前記第２の横方向端の間の中心部分よりも前記第１の横方向端及び前記第２の横方向端で大きくなっている、請求項１に記載のヨーク。
【請求項１１】
前記第１のエンドキャップ及び前記第２のエンドキャップの少なくとも一方の前記入口孔が、スロットを備える、請求項１に記載のヨーク。
【請求項１２】
前記上部トラックが、前記第２のエンドキャップ内へ延びており、前記下部トラックが、前記第１のエンドキャップ内へ延びている、請求項１に記載のヨーク。
【請求項１３】
前記第１のエンドキャップ及び前記第２のエンドキャップが、組立て中に、それぞれ前記前壁及び前記背壁の前記第１の横方向端及び前記第２の横方向端にヒンジ式に取り付けられるように構成されている、請求項１に記載のヨーク。
【請求項１４】
前記エンドキャップのそれぞれが、前記ヘッドギアの前部ストラップに取り付けられる、請求項１に記載のヨーク。
【請求項１５】
前記第１のハウジング及び前記第２のハウジングが、Ｕ字状である、請求項１に記載のヨーク。
【手続補正２】
【補正対象書類名】明細書
【補正対象項目名】０２９４
【補正方法】変更
【補正の内容】
【０２９４】
[0438]本明細書に記載する好ましい実施形態に対する様々な変更及び修正が、当業者には明らかになることに留意されたい。そのような変更及び修正は、本発明の精神及び範囲から逸脱することなく、本発明に付随する利点を減少させることなく加えることができる。たとえば、所望される場合、様々な構成要素の位置を変えることができる。したがって、そのような変更及び修正は、本発明の範囲内に含まれることが意図される。さらに、特徴、態様、及び利点のすべてが、本発明を実行するのに必ずしも必要とされるとは限らない。したがって、本発明の範囲は、以下の特許請求の範囲のみによって定義されることが意図される。
本発明は、以下の態様を含むものである。
１．
ヘッドギアアセンブリのためのフレームを有するマスクインターフェースを備える呼吸マスクシステムであって、前記フレームが、第１の表面及び実質上反対側の第２の表面を有する本体を備え、前記本体が、ガス入口及び出口換気孔をさらに備える、呼吸マスクシステム。
２．
フレームを有するマスクインターフェースを備える呼吸マスクシステムであって、前記フレームが、前面及び実質上反対側の背面を有する本体を備え、前記前面が、凹状領域を備え、前記凹状領域内にヘッドギアアセンブリのヨークが配置され得る、呼吸マスクシステム。
３．
ヘッドギアアセンブリのためのヨークを備える呼吸マスクシステムであって、前記ヨークが本体を備え、前記本体が、前記ヨークの頂面と底面との間の距離によって規定される幅及び前記ヨークの両端間の距離によって規定される長さを有する前面と、２つの側部部分間に位置する中間部分とを備え、前記側部部分が、前記ヨークの前記端又はその付近に位置しており、前記中間部分における前記ヨークの前記幅が、前記側部部分における前記ヨークの前記幅より小さい、呼吸マスクシステム。
４．
ヘッドギアアセンブリを備える呼吸マスクシステムであって、前記システムが、フレームを有するマスクインターフェースを備え、前記フレームが、第１の表面及び実質上反対側の第２の表面を有するフレーム本体を備え、前記フレーム本体が、ガス入口及び出口換気孔をさらに備え、前記呼吸マスクシステムが、ヘッドギアアセンブリのためのヨークをさらに備え、前記ヨークがヨーク本体を備え、前記ヨーク本体が、前記ヨークの頂面と底面との間の距離によって規定される幅及び前記ヨークの両端間の距離によって規定される長さを有する前面と、２つの側部部分間に位置する中間部分とを備え、前記側部部分が、前記ヨークの前記端又はその付近に位置しており、前記中間部分における前記ヨークの前記幅が、前記側部部分における前記ヨークの前記幅より小さい、呼吸マスクシステム。
５．
ヘッドギアアセンブリを備える呼吸マスクシステムであって、前記システムが、フレームを有するマスクインターフェースを備え、前記フレームが、前面及び実質上反対側の背面を有するフレーム本体を備え、前記前面が、凹状領域を備え、前記凹状領域内にヘッドギアアセンブリのヨークが配置され得、前記システムが、ヘッドギアアセンブリのためのヨークをさらに備え、前記ヨークがヨーク本体を備え、前記ヨーク本体が、前記ヨークの頂面と底面との間の距離によって規定される幅及び前記ヨークの両端間の距離によって規定される長さを有する前面と、２つの側部部分間に位置する中間部分とを備え、前記側部部分が、前記ヨークの前記端又はその付近に位置しており、前記中間部分における前記ヨークの前記幅が、前記側部部分における前記ヨークの前記幅より小さい、呼吸マスクシステム。
６．
マスクフレームと、ヨークとを備える呼吸マスクシステムであって、
前記マスクフレームが、
使用の際にガス導管に結合されるように構成された入口と、
前記マスクフレーム全体にわたって長手方向に延び、上壁、背壁、及び下壁によって画定されるヨークチャネルと、
前記上壁から前記ヨークチャネル内へ下方に突出する保持バンプと
を備え、
前記ヨークが、前記ヨークチャネル内に少なくとも部分的に配置されるように構成され、前記ヨークの上面に保持ノッチを備え、
前記保持バンプが、前記ヨーク及び前記マスクフレームが互いに結合されるときに、前記保持ノッチ内へスナップ嵌めされるように構成されている、呼吸マスクシステム。
７．
前記保持ノッチが、前記ヨークの前壁と頂壁との間の角部に沿って配置されている、上記６に記載の呼吸マスクシステム。
８．
前記ヨークが、ヨーク前部と、前記ヨーク前部に結合されたヨーク後部とを備える、上記６に記載の呼吸マスクシステム。
９．
前記ヨーク前部が、前記保持ノッチを備える、上記８に記載の呼吸マスクシステム。
１０．
マスクフレームと、ヨークとを備える呼吸マスクシステムであって、
前記マスクフレームが、
使用の際にガス導管に結合されるように構成された入口と、
前記マスクフレーム全体にわたって長手方向に延び、上壁、背壁、及び下壁によって画定されたヨークチャネルと、
前記背壁内へ凹んでおり、前記ヨークチャネルの長さに沿って延びる回転防止溝と
を備え、
前記ヨークが、前記ヨークチャネル内に少なくとも部分的に配置されるように構成されており、前記ヨークから後方に突出する舌片を備え、
前記舌片が、前記ヨーク及び前記マスクフレームが互いに結合されるときに、前記回転防止溝内に配置されるように構成されており、前記回転防止溝と前記舌片との間の相互作用が、前記マスクフレームからの前記ヨークの回転係合解除を抑制するようになっている、呼吸マスクシステム。
１１．
前記ヨークが、ヨーク後部に結合されたヨーク前部を備える、上記１０に記載の呼吸マスクシステム。
１２．
前記舌片が、前記ヨーク前部から延びる前部舌片と、前記ヨーク後部から延びる後部舌片とを備える、上記１１に記載の呼吸マスクシステム。
１３．
前記前部舌片が、前記前部舌片の上面が前記後部舌片の下面に当接するように、前記後部舌片の下に配置されている、上記１２に記載の呼吸マスクシステム。
１４．
呼吸マスクシステムのマスクフレームに結合されるように構成されたヨークであって、
第１の横方向端から第２の横方向端へ延びる前壁と、
第１の横方向端から第２の横方向端へ延びる背壁であり、前記前壁と前記背壁との間に内側空洞を画定する背壁と、
前記前壁及び前記背壁の前記第１の横方向端に結合された第１のエンドキャップ並びに前記前壁及び前記背壁の前記第２の横方向端に結合された第２のエンドキャップであり、各エンドキャップが、自己調節式ヘッドギア機構の線状体を受け入れるように構成された線状体入口孔を備える、第１のエンドキャップ及び第２のエンドキャップと、
前記第１のエンドキャップに隣り合って前記前壁と前記背壁との間に配置された第１のワッシャハウジングと、
前記第２のエンドキャップに隣り合って前記前壁と前記背壁との間に配置された第２のワッシャハウジングと、
前記内側空洞を上部ライントラック及び下部ライントラックに分割するライントラック分割具と
を備え、
前記上部ライントラックが、前記第１のワッシャハウジングから前記第２のエンドキャップへ前記第２のワッシャハウジングの上に延びており、
前記下部ライントラックが、前記第２のワッシャハウジングから前記第１のエンドキャップへ前記第１のワッシャハウジングの下に延びている、ヨーク。
１５．
前記ヨークが、前記前壁を有するヨーク前部と、前記背壁を有するヨーク後部とを備え、前記ヨーク前部及び前記ヨーク後部が互いに結合されている、上記１４に記載のヨーク。
１６．
前記上部ライントラックが、前記ヨーク前部の上壁及び前記ライントラック分割具によって少なくとも部分的に画定されており、前記下部ライントラックが、前記ヨーク前部の下壁及び前記ライントラック分割具によって少なくとも部分的に画定されている、上記１５に記載のヨーク。
１７．
呼吸マスクシステムのための鼻シールであって、
入口を画定し、前記鼻シールの使用者接触面を少なくとも部分的に画定する本体部分と、
前記本体部分によって支持されており、使用者の鼻孔に係合するように構成された１対の鼻プロングとを備え、
前記本体部分が、前記シールの上部部分で前記１対の鼻プロング間に横方向に延びるブリッジ部分を備え、前記ブリッジ部分が、前記鼻シールの前面と背面との間にブリッジ深さを規定しており、前記ブリッジ深さが、前記鼻シールの全体的な深さの２分の１より小さい、鼻シール。
１８．
前記鼻シールの最背部の点が、前記１対の鼻プロングの最背部の表面の後方に位置している、上記１７に記載の鼻シール。
１９．
前記ブリッジ深さが、前記全体的な深さの５分の２以下である、上記１７又は１８に記載の鼻シール。
２０．
前記ブリッジ深さが、前記全体的な深さの３分の１である、上記１９に記載の鼻シール。
２１．
前記ブリッジ深さが、１５ｍｍ以下、１３．５ｍｍ以下、又は１１ｍｍ以下である、上記１７〜２０のいずれか一項に記載の鼻シール。
２２．
前記全体的な深さが、３５ｍｍ以下、３２．５ｍｍ以下、又は３０ｍｍ以下である、上記１７〜２１のいずれか一項に記載の鼻シール。
２３．
１ｍｍ以上の壁厚が、前記鼻シールの外側壁内又は前壁内に制限されている、上記１７〜２２のいずれか一項に記載の鼻シール。
２４．
上壁と前記外側壁との間の移行部又は下壁と前記外側壁との間の移行部が、１ｍｍより小さい、上記２３に記載の鼻シール。
２５．
前記鼻シールの前記本体部分によって規定される前記使用者接触面の最小の壁厚が、０．３ｍｍ以上である、上記１７〜２４のいずれか一項に記載の鼻シール。
２６．
前記鼻シールの前記本体部分によって規定される前記使用者接触面の前記最小の壁厚が、０．４５ｍｍ以上である、上記２５に記載の鼻シール。
２７．
前記鼻シールの全体的な幅が、６５ｍｍ以下である、上記１７〜２６のいずれか一項に記載の鼻シール。
２８．
前記全体的な幅が、６１ｍｍ以下又は５８．５ｍｍ以下である、上記２７に記載の鼻シール。
２９．
前記鼻シールの全体的な高さが、４０ｍｍ以下である、上記１７〜２８のいずれか一項に記載の鼻シール。
３０．
前記全体的な高さが、３５．５ｍｍ以下又は３５．２ｍｍ以下である、上記２９に記載の鼻シール。
３１．
前記鼻シールの封止面積が、１０００ｍｍ２以下である、上記１７〜３０のいずれか一項に記載の鼻シール。
３２．
前記封止面積が、９０７ｍｍ２以下又は８８３ｍｍ２以下である、上記３１に記載の鼻シール。
３３．
前記入口が、略Ｄ字状である、上記１７〜３２のいずれか一項に記載の鼻シール。
３４．
前記本体部分の前記入口に固定されたクリップアセンブリをさらに備え、前記クリップアセンブリが、前記鼻シールをフレームに取外し可能に接続することを可能にするように構成されている、上記１７〜３３のいずれか一項に記載の鼻シール。
３５．
前記クリップアセンブリが、入口及び換気孔を画定している、上記３４に記載の鼻シール。
３６．
前記換気孔が、拡散器を備える、上記３５に記載の鼻シール。
３７．
前記換気孔が、クリップ部材によって画定されている、上記３６に記載の鼻シール。
３８．
前記換気孔の前記クリップ部材が、取外し可能である、上記３７に記載の鼻シール。
３９．
前記入口が、１２〜１６ｍｍ又は１４ｍｍの最大の高さを有する、上記３５〜３８のいずれか一項に記載の鼻シール。
４０．
前記入口が、２５〜３０ｍｍ又は２７ｍｍの最大幅を有する、上記３９に記載の鼻シール。
４１．
フレームと組み合わされている、上記１７〜４０のいずれか一項に記載の鼻シール。
４２．
ヘッドギア機構をさらに備える、上記４１に記載の、鼻シール及びフレーム。
４３．
前記ヘッドギア機構が、自己調節式であり、又は１つ若しくは複数の方向性ロックを備える、上記４２に記載のアセンブリ。
４４．
マスクフレームと、ヨークとを備える呼吸マスクシステムであって、
前記マスクフレームが、
使用の際にガス導管に結合されるように構成された入口と、
前記マスクフレーム全体にわたって長手方向に延び、上壁、背壁、及び下壁によって画定されるヨークチャネルと、
前記ヨークチャネルの前記上壁及び前記下壁のうちの少なくとも１つにある少なくとも１つの凹部と
を備え、
前記ヨークが、前記ヨークチャネル内に少なくとも部分的に配置されるように構成されており、前記ヨークから後方に突出する少なくとも１つの突起を備え、前記少なくとも１つの突起が、前記ヨークが前記ヨークチャネル内に配置されるときに、前記少なくとも１つの凹部内に配置されるように構成されている、呼吸マスクシステム。
４５．
前記少なくとも１つの凹部及び前記少なくとも１つの突起が、矩形のプロファイルを有する、上記４４に記載の呼吸マスクシステム。
４６．
呼吸マスクシステムのマスクフレームに結合されるように構成されたヨークであって、
第１の中心コネクタを備えるヨーク前部と、
第２の中心コネクタを備えるヨーク背部とを備え、
前記第１の中心コネクタ及び前記第２の中心コネクタが、互いに結合されて前記ヨーク前部及び前記ヨーク背部を互いに少なくとも部分的に固定するように構成されている、ヨーク。
４７．
前記第１の中心コネクタが、前記ヨーク前部から後方に突出する突起を備え、前記第２の中心コネクタが、前記ヨーク背部に開口を備え、前記突起が、前記開口に受け入れられるように構成されている、上記４６に記載のヨーク。
４８．
前記第１の中心コネクタが、前記ヨーク前部から後方に突出する突起を備え、前記第２の中心コネクタが、前記ヨーク背部の前面に凹部を備え、前記突起が、前記凹部に受け入れられるように構成されている、上記４６に記載のヨーク。
４９．
前記ヨーク前部が、前記ヨーク前部の背面内へ凹んで前記ヨーク前部の上縁部近傍で前記ヨーク前部の長さに沿って延びる上部位置合わせ溝を備え、前記ヨーク背部が、前記ヨーク背部の前面から前方に突出する上部位置合わせビードを備え、前記上部位置合わせビードが、前記ヨーク前部及び前記ヨーク背部が互いに結合されるときに、前記上部位置合わせ溝に受け入れられるように構成されている、上記４６〜４８のいずれか一項に記載のヨーク。
５０．
前記ヨーク前部が、前記ヨーク前部の背面内へ凹んで前記ヨーク前部の下縁部近傍で前記ヨーク前部の長さに沿って延びる下部位置合わせ溝を備え、前記ヨーク背部が、前記ヨーク背部の前面から前方に突出する下部位置合わせビードを備え、前記下部位置合わせビードが、前記ヨーク前部及び前記ヨーク背部が互いに結合されるときに、前記下部位置合わせ溝に受け入れられるように構成されている、上記４６〜４９のいずれか一項に記載のヨーク。
５１．
呼吸マスクシステムのマスクフレームに結合されるように構成されたヨークであって、
第１の横方向端から第２の横方向端へ延びるヨーク前部と、
第１の横方向端から第２の横方向端へ延びるヨーク背部であり、前記ヨーク前部及び前記ヨーク背部が互いに結合され、前記ヨーク前部と前記ヨーク背部との間に内側空洞を画定する、ヨーク背部と、
前記ヨーク前部及び前記ヨーク背部の前記第１の横方向端に結合された第１のエンドキャップ並びに前記ヨーク前部及び前記ヨーク背部の前記第２の横方向端に結合された第２のエンドキャップであり、各エンドキャップが、自己調節式ヘッドギア機構の線状体を受け入れるように構成された線状体入口孔を備える、第１のエンドキャップ及び第２のエンドキャップと、
前記第１のエンドキャップに隣り合って前記空洞内に配置された第１のワッシャハウジングと、
前記第２のエンドキャップに隣り合って前記空洞内に配置された第２のワッシャハウジングと、
前記内側空洞を上部ライントラック及び下部ライントラックに分割するライントラック分割具と
を備え、
前記上部ライントラックが、前記第１のワッシャハウジングから前記第２のエンドキャップへ前記第２のワッシャハウジングの上に延びており、
前記下部ライントラックが、前記第２のワッシャハウジングから前記第１のエンドキャップへ前記第１のワッシャハウジングの下に延びている、ヨーク。
５２．
前記上部ライントラックが、前記第２のエンドキャップ内へ延びており、前記下部ライントラックが、前記第１のエンドキャップ内へ延びている、上記５１に記載のヨーク。
５３．
前記第１及び第２のエンドキャップが、組立て中に、それぞれ前記前壁及び前記背壁の前記第１及び第２の横方向端にヒンジ式に取り付けられるように構成されている、上記５１又は５２に記載のヨーク。
５４．
前記ヨーク背部が、前記ヨーク背部の前記第１の横方向端近傍で前記ヨーク背部から後方に延びる第１の保持突起を備え、前記ヨーク前部が、前記ヨーク前部の前記第１の横方向端近傍で前記ヨーク前部から前方に延びる第２の保持突起を備え、前記第１の保持突起が、前記第２の保持突起より大きい長さを有し、前記第１のエンドキャップが、前記第１のエンドキャップの一方の側に位置し、前記第１の保持突起を受け入れるように構成された保持孔と、前記第１のエンドキャップの反対側に位置し、前記第２の保持突起を受け入れるように構成されたノッチとを備え、組立て中に、前記第１の保持突起及び前記保持孔が互いに係合し、次いで前記第１のエンドキャップが、前記ヨーク前部及び前記ヨーク背部の前記第１の横方向端の上へ旋回して、前記第２の保持突起及び前記ノッチを係合させる、上記５３に記載のヨーク。
５５．
前記第１及び第２のワッシャハウジングが、Ｕ字状である、上記５１〜５４のいずれか一項に記載のヨーク。
５６．
前記第２のワッシャハウジングが、上向きのＵ字状として置かれており、前記第１のワッシャハウジングが、下向きのＵ字状として置かれている、上記５５に記載のヨーク。
５７．
マスクフレームと、ヨークとを備える呼吸マスクシステムであって、
前記マスクフレームが、
使用の際にガス導管に結合されるように構成された入口と、
前記マスクフレーム全体にわたって長手方向に延びるヨークチャネルであり、上壁、背壁、及び下壁によって画定されるヨークチャネルと
を備え、
前記ヨークが、前記ヨークチャネル内に少なくとも部分的に配置されるように構成されている、呼吸マスクシステム。